(57)【要約】      （修正有）【課題】サイズが小さく軽量・安価で結像性能、合焦動作に優れたズームレンズ系を提供する。【解決手段】物体側から像側へと順に、正のパワーを有する第１レンズ群Ｇ１と、負のパワーを有する第２レンズ群Ｇ２と、負のパワーを有し少なくとも１枚の樹脂レンズを含む第３レンズ群Ｇ３と、正のパワーを有し少なくとも１枚の樹脂レンズを含む第４レンズ群Ｇ４と、Ｇ４内に配置される開口絞りＡとを備え、Ｇ３内の樹脂レンズとＧ４内の樹脂レンズは以下の２つの条件式を満足する。０．５≦（ｒ３ｇ２＋ｒ３ｇ１）／（ｒ３ｇ２−ｒ３ｇ１）≦２．０・・・（１）−１６．０≦（ｒ４ｇ２＋ｒ４ｇ１）／（ｒ４ｇ２−ｒ４ｇ１）≦１．０・・・（２）ｒ３ｇ１：Ｇ３内の樹脂レンズの物体側近軸曲率半径、ｒ３ｇ２：Ｇ３内の樹脂レンズの像側近軸曲率半径、ｒ４ｇ１：Ｇ４内の樹脂レンズの物体側近軸曲率半径、ｒ４ｇ２：Ｇ４内の樹脂レンズの像側近軸曲率半径、である。【選択図】図１
2011203293.tif 000002
【特許請求の範囲】
【請求項１】
ズームレンズ系であって、物体側から像側へと順に、
正のパワーを有する第１レンズ群と、
負のパワーを有する第２レンズ群と、
負のパワーを有し、少なくとも１枚の樹脂レンズを含む第３レンズ群と、
正のパワーを有し、少なくとも１枚の樹脂レンズを含む第４レンズ群と、
前記第４レンズ群内に配置される開口絞りとを備え、
前記第３レンズ群内の樹脂レンズと前記第４レンズ群内の樹脂レンズは
以下の条件を満足する、ズームレンズ系：
０．５≦（ｒ３ｇ２＋ｒ３ｇ１）／（ｒ３ｇ２−ｒ３ｇ１）≦２．０・・・（１）
−１６．０≦（ｒ４ｇ２＋ｒ４ｇ１）／（ｒ４ｇ２−ｒ４ｇ１）≦１．０・・・（２）
ここで、
ｒ３ｇ１：前記第３レンズ群内の樹脂レンズの物体側近軸曲率半径
ｒ３ｇ２：前記第３レンズ群内の樹脂レンズの像側近軸曲率半径
ｒ４ｇ１：前記第４レンズ群内の樹脂レンズの物体側近軸曲率半径
ｒ４ｇ２：前記第４レンズ群内の樹脂レンズの像側近軸曲率半径
である。
【請求項２】
前記第３レンズ群は以下の条件を満足する、請求項１に記載のズームレンズ系：
４．０≦ｆ３ｐ／ｆ２３  ≦６．０  ・・・（３）
ここで、
ｆ３ｐ：前記第３レンズ群内樹脂レンズの焦点距離
ｆ２３：前記第２及び第３レンズ群の合成焦点距離
である。
【請求項３】
前記第４レンズ群は以下の条件を満足する、請求項１に記載のズームレンズ系：
４．０≦ｆ４ｐ／ｆ４  ≦８．０  ・・・（４）
ここで、
ｆ４ｐ：前記第４群内樹脂非球面レンズの焦点距離
ｆ４：前記第４レンズ群の焦点距離
である。
【請求項４】
ズーミングに際して、前記第１レンズ群が光軸に沿って移動する、請求項１に記載のズームレンズ系。
【請求項５】
ズーミングに際して、前記第４レンズ群が光軸に沿って移動する、請求項１に記載のズームレンズ系。
【請求項６】
無限遠合焦状態から近接合焦状態へのフォーカシングに際して、前記第３レンズ群が光軸に沿って移動する、請求項１に記載のズームレンズ系。
【請求項７】
無限遠合焦状態から近接合焦状態へのフォーカシングに際して光軸に沿って移動するレンズ群が１枚の樹脂レンズのみからなる、請求項１に記載のズームレンズ系。
【請求項８】
全系の振動に起因する像ぶれ補正に際して、前記第４レンズ群を構成する複数のレンズ素子の一部よりなるサブレンズ群が光軸と直交する方向に移動する、請求項１に記載のズームレンズ系。
【請求項９】
全系の振動に起因する像ぶれ補正に際して光軸と直交する方向に移動するサブレンズ群が１枚のレンズ素子のみからなる、請求項１に記載のズームレンズ系。
【請求項１０】
以下の条件を満足する、請求項１に記載のズームレンズ系：
０．７７＜｜Ｄ１／ｆＷ｜＜３．５  ・・・（５）
ここで、
Ｄ１：広角端から望遠端へのズーミング時における第１レンズ群の移動量、
ｆＷ：広角端における全系の焦点距離
である。
【請求項１１】
以下の条件を満足する、請求項１に記載のズームレンズ系：
０．７７＜｜Ｄ４／ｆＷ｜＜３．５  ・・・（６）
ここで、
Ｄ４：広角端から望遠端へのズーミング時における第４レンズ群の移動量、
ｆＷ：広角端における全系の焦点距離
である。
【請求項１２】
以下の条件を満足する、請求項１に記載のズームレンズ系：
０．４＜ＢＦＷ／ｆＷ＜０．６  ・・・（７）
ここで、
ＢＦＷ：広角端における全系のバックフォーカス
ｆＷ：広角端における全系の焦点距離
である。
【請求項１３】
請求項１に記載のズームレンズ系と、
前記ズームレンズ系が形成する光学像を受光して、電気的な画像信号に変換する撮像センサとを含むカメラ本体と接続可能なレンズマウント部とを備える、交換レンズ装置。
【請求項１４】
請求項１に記載のズームレンズ系を含む交換レンズ装置と、
前記交換レンズ装置とカメラマウント部を介して着脱可能に接続され、前記ズームレンズ系が形成する光学像を受光して、電気的な画像信号に変換する撮像センサを含むカメラ本体とを備える、カメラシステム。
【発明の詳細な説明】
【技術分野】
【０００１】
本発明は、ズームレンズ系に関し、より特定的には、いわゆるレンズ交換式デジタルカメラシステムの撮像レンズ系として好適なズームレンズ系に関する。また、本発明は、当該ズームレンズ系を用いた交換レンズ装置及びカメラシステムに関する。
【背景技術】
【０００２】
近年、レンズ交換式デジタルカメラシステムが急速に普及している。レンズ交換式デジタルカメラシステム（単に「カメラシステム」ともいう）は、ＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）などの撮像センサを持つカメラ本体と、撮像センサの受光面に光学像を形成するための撮像レンズ系を備えた交換レンズ装置とを備える。レンズ交換式デジタルカメラシステムには、コンパクト型デジタルカメラに搭載されるものより大型の撮像センサが用いられる。したがって、レンズ交換式デジタルカメラシステムは、高感度で高画質な画像を撮影することができる。また、レンズ交換式デジタルカメラシステムには、合焦動作や撮像後の画像処理が高速であったり、撮りたい場面に合わせて手軽に交換レンズ装置を取り替えることができる等の利点もある。光学像を変倍可能に形成するズームレンズ系を備えた交換レンズ装置は、レンズ交換することなく焦点距離を自在に変化させることができる点で人気がある。
【先行技術文献】
【特許文献】
【０００３】
【特許文献１】特開２００７−２７１６９２号公報
【特許文献２】特開２００６−１２６７２６号公報
【特許文献３】特開２００４−２４０１５１号公報
【特許文献４】特開平４−８８３１０号公報
【特許文献５】特開平１−１３４４１３号公報
【発明の概要】
【発明が解決しようとする課題】
【０００４】
レンズ交換式デジタルカメラシステムには、上述した様々な利点がある一方で、コンパクト型デジタルカメラと比べると、サイズが大きい、重量が重い、高価といった側面もあわせもつ。持ち運びや取り回しをし易くするためには、サイズや重量はできるだけ小さいことが好ましい。コストを下げるためには部品点数を減らす、より安価な材料を使用することが好ましい。
【０００５】
したがって、レンズ交換式デジタルカメラシステム用のズームレンズ系にも、結像性能を維持しつつ、可能な限りコンパクトで軽量・安価であることが求められる。また、昨今ではレンズ交換式デジタルカメラシステムにおいても動画撮影機能を有することを求められる傾向にある。動画撮影は常に被写体を合焦状態に保つ必要があるため、合焦速度の改善が今まで以上に必要となる。合焦速度を高速化するためにはフォーカシングレンズ群をより軽量化することが求められる。
【０００６】
それ故に、本発明の目的は、レンズ交換式デジタルカメラシステムに好適に用いることができ、軽量・安価で合焦動作に優れたズームレンズ系を提供することである。特に、温度変化に対して高い光学性能を有するズームレンズ系を提供することである。
【０００７】
また、本発明の他の目的は、軽量・安価で合焦動作に優れた交換レンズ装置及びカメラシステムを提供することである。
【課題を解決するための手段】
【０００８】
本発明に係るズームレンズ系は、物体側から像側へと順に、正のパワーを有する第１レンズ群と、負のパワーを有する第２レンズ群と、負のパワーを有する第３レンズ群と、正のパワーを有する第４レンズ群とからなり、前記第３レンズ群は、樹脂材料で形成された少なくとも１枚の非球面レンズとからなり、前記第４レンズ群は、防振レンズ群、開口絞りと少なくとも１枚の樹脂レンズを有する。さらに以下の条件式を満足することを特徴とするズームレンズ系。
０．５≦（ｒ３ｇ２＋ｒ３ｇ１）／（ｒ３ｇ２−ｒ３ｇ１）≦２．０  ・・・（１）
−１６．０≦（ｒ４ｇ２＋ｒ４ｇ１）／（ｒ４ｇ２−ｒ４ｇ１）≦−１．０・・・（２）
ここで、
ｒ３ｇ１：前記第３レンズ群内の樹脂レンズの物体側近軸曲率半径
ｒ３ｇ２：前記第３レンズ群内の樹脂レンズの像側近軸曲率半径
ｒ４ｇ１：前記第４レンズ群内の樹脂レンズの物体側近軸曲率半径
ｒ４ｇ２：前記第４レンズ群内の樹脂レンズの像側近軸曲率半径
である。
【０００９】
本発明に係る交換レンズ鏡筒は、上記のズームレンズ系と、ズームレンズ系が形成する光学像を受光して、電気的な画像信号に変換する撮像センサとを含むカメラ本体と接続可能なレンズマウント部とを備える。
【００１０】
本発明に係るカメラシステムは、上記のズームレンズ系を含む交換レンズ装置と、交換レンズ装置とカメラマウント部を介して着脱可能に接続され、ズームレンズ系が形成する光学像を受光して、電気的な画像信号に変換する撮像センサを含むカメラ本体とを備える。
【発明の効果】
【００１１】
本発明によれば、軽量、安価で合焦速度に優れたズームレンズ系、当該ズームレンズ系を有する交換レンズ装置及びカメラシステムを実現できる。特に、温度変化に対して高い光学性能を有するズームレンズ系、当該ズームレンズ系を有する交換レンズ及びカメラシステムを実現できる。
【図面の簡単な説明】
【００１２】
【図１】実施の形態１（実施例１）に係るズームレンズ系の無限遠合焦状態を示すレンズ配置図
【図２】実施例１に係るズームレンズ系の無限遠合焦状態の縦収差図
【図３】実施例１に係るズームレンズ系の望遠端における、像ぶれ補正を行っていない基本状態及び像ぶれ補正状態での横収差図
【図４】実施の形態２（実施例２）に係るズームレンズ系の無限遠合焦状態を示すレンズ配置図
【図５】実施例２に係るズームレンズ系の無限遠合焦状態の縦収差図
【図６】実施例２に係るズームレンズ系の望遠端における、像ぶれ補正を行っていない基本状態及び像ぶれ補正状態での横収差図
【図７】実施の形態３（実施例３）に係るズームレンズ系の無限遠合焦状態を示すレンズ配置図
【図８】実施例３に係るズームレンズ系の無限遠合焦状態の縦収差図
【図９】実施例３に係るズームレンズ系の望遠端における、像ぶれ補正を行っていない基本状態及び像ぶれ補正状態での横収差図
【図１０】実施の形態４（実施例４）に係るズームレンズ系の無限遠合焦状態を示すレンズ配置図
【図１１】実施例４に係るズームレンズ系の無限遠合焦状態の縦収差図
【図１２】実施例４に係るズームレンズ系の望遠端における、像ぶれ補正を行っていない基本状態及び像ぶれ補正状態での横収差図
【図１３】実施の形態５（実施例５）に係るズームレンズ系の無限遠合焦状態を示すレンズ配置図
【図１４】実施例５に係るズームレンズ系の無限遠合焦状態の縦収差図
【図１５】実施例５に係るズームレンズ系の望遠端における、像ぶれ補正を行っていない基本状態及び像ぶれ補正状態での横収差図
【図１６】実施の形態６（実施例６）に係るズームレンズ系の無限遠合焦状態を示すレンズ配置図
【図１７】実施例６に係るズームレンズ系の無限遠合焦状態の縦収差図
【図１８】実施例６に係るズームレンズ系の望遠端における、像ぶれ補正を行っていない基本状態及び像ぶれ補正状態での横収差図
【図１９】実施の形態７（実施例７）に係るズームレンズ系の無限遠合焦状態を示すレンズ配置図
【図２０】実施例７に係るズームレンズ系の無限遠合焦状態の縦収差図
【図２１】実施例７に係るズームレンズ系の望遠端における、像ぶれ補正を行っていない基本状態及び像ぶれ補正状態での横収差図
【図２２】実施の形態８（実施例８）に係るズームレンズ系の無限遠合焦状態を示すレンズ配置図
【図２３】実施例８に係るズームレンズ系の無限遠合焦状態の縦収差図
【図２４】実施例８に係るズームレンズ系の望遠端における、像ぶれ補正を行っていない基本状態及び像ぶれ補正状態での横収差図
【図２５】実施の形態９に係るカメラシステムの概略構成図
【発明を実施するための形態】
【００１３】
図１、４、７、１０、１３、１６、１９、２２は、それぞれ、実施の形態１、２、３、４、５、６、７、８に係るズームレンズ系のレンズ配置図であり、いずれも無限遠合焦状態にあるズームレンズ系を表している。
【００１４】
各図において、（ａ）図は広角端（最短焦点距離状態：焦点距離ｆＷ）のレンズ構成、（ｂ）図は、中間位置（中間焦点距離状態：焦点距離ｆＭ＝√（ｆＷ＊ｆＴ））のレンズ構成、（ｃ）図は望遠端（最長焦点距離状態：焦点距離ｆＴ）のレンズ構成をそれぞれ表している。また各図において、（ａ）図と（ｂ）図との間に設けられた折れ線の矢印は、上から順に、広角端、中間位置、望遠端の各状態におけるレンズ群の位置を結んで得られる直線である。広角端と中間位置との間、中間位置と望遠端との間は、単純に直線で接続されているだけであり、実際の各レンズ群の動きとは異なる。更に各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００１５】
図１、４、７、１０、１３、１６、１９、２２において、特定の面に付されたアスタリスク＊は、該面が非球面であることを示している。また、各図において、各レンズ群の符号に付された記号（＋）及び記号（−）は、各レンズ群のパワーの符号に対応する。更に各図において、最も右側に記載された直線は、像面Ｓの位置を表す。更に、各図において、第４レンズ群Ｇ４内には開口絞りＡが設けられている。
【００１６】
実施の形態１〜８に係るズームレンズ系は、物体側から像側へと順に、正のパワーを有する第１レンズ群Ｇ１と、負のパワーを有する第２レンズ群Ｇ２と、負のパワーを有する第３レンズ群Ｇ３と、正のパワーを有する第４レンズ群Ｇ４とを備える。
【００１７】
（実施の形態１）
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１と第２レンズ素子Ｌ２とは互いに接合されている。
【００１８】
第２レンズ群Ｇ２は、物体側から像側へと順に、物体側に凸面を向けた負メニスカス形状の第３レンズ素子Ｌ３と、両凹形状の第４レンズ素子Ｌ４と、物体側に凸面を向けた正メニスカス形状の第５レンズ素子Ｌ５とからなる。
【００１９】
第３レンズ群Ｇ３は、像側に凸面を向けた負メニスカス形状の第６レンズ素子Ｌ６からなる。また、第６レンズ素子Ｌ６の物体側面が非球面である。第６レンズ素子Ｌ６は樹脂により形成されている。
【００２０】
第４レンズ群Ｇ４は、物体側から像側へと順に、両凸形状の第７レンズ素子Ｌ７と、両凸形状の第８レンズ素子Ｌ８と、両凹形状の第９レンズ素子Ｌ９と、像側に凸面を向けた正メニスカス形状の第１０レンズ素子Ｌ１０と、両凸形状の第１１レンズ素子Ｌ１１と、像側に凸面を向けた負メニスカス形状の第１２レンズ素子Ｌ１２とからなる。第８レンズ素子Ｌ８と第９レンズ素子とが互いに接合されていると共に、第１１レンズ素子Ｌ１１と第１２レンズ素子Ｌ１２とが互いに接合されている。また、第１０レンズ素子Ｌ１０の両面が非球面である。第１０レンズ素子Ｌ１０は、樹脂により形成されている。
【００２１】
（実施の形態２）
第１レンズ群Ｇ１は、物体側から像側へと順に、物体側に凸面を向けた負メニスカス形状の第１レンズ素子Ｌ１と、両凸形状の第２レンズ素子とからなる。第１レンズ素子Ｌ１と第２レンズ素子Ｌ２とは互いに接合されている。
【００２２】
第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５とからなる。
【００２３】
第３レンズ群Ｇ３は、像側に凸面を向けた負メニスカス形状の第６レンズ素子Ｌ６からなる。また、第６レンズ素子Ｌ６の物体側面が非球面である。第６レンズ素子Ｌ６は樹脂により形成されている。
【００２４】
第４レンズ群Ｇ４は、物体側から像側へと順に、両凸形状の第７レンズ素子Ｌ７と、両凸形状の第８レンズ素子Ｌ８と、両凹形状の第９レンズ素子Ｌ９と、像側に凸面を向けた正メニスカス形状の第１０レンズ素子Ｌ１０と、両凸形状の第１１レンズ素子Ｌ１１と、像側に凸面を向けた負メニスカス形状の第１２レンズ素子Ｌ１２とからなる。第８レンズ素子Ｌ８と第９レンズ素子とが互いに接合されていると共に、第１１レンズ素子Ｌ１１と第１２レンズ素子Ｌ１２とが互いに接合されている。また、第１０レンズ素子Ｌ１０の像側面が非球面である。第１０レンズ素子Ｌ１０は、樹脂により形成されている。
【００２５】
（実施の形態３）
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。
【００２６】
第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５とからなる。
【００２７】
第３レンズ群Ｇ３は、像側に凸面を向けた負メニスカス形状の第６レンズ素子Ｌ６からなる。また、第６レンズ素子Ｌ６の物体側面が非球面である。第６レンズ素子Ｌ６は樹脂により形成されている。
【００２８】
第４レンズ群Ｇ４は、物体側から像側へと順に、両凸形状の第７レンズ素子Ｌ７と、両凸形状の第８レンズ素子Ｌ８と、両凹形状の第９レンズ素子Ｌ９と、像側に凸面を向けた正メニスカス形状の第１０レンズ素子Ｌ１０と、両凸形状の第１１レンズ素子Ｌ１１と、像側に凸面を向けた負メニスカス形状の第１２レンズ素子Ｌ１２とからなる。第８レンズ素子Ｌ８と第９レンズ素子とが互いに接合されている。また、第１０レンズ素子Ｌ１０の両面が非球面である。第１０レンズ素子Ｌ１０は、樹脂により形成されている。
【００２９】
（実施の形態４）
第１レンズ群Ｇ１は、物体側から像側へと順に、物体側に凸面を向けた負メニスカス形状の第１レンズ素子Ｌ１と、両凸形状の第２レンズ素子とからなる。
【００３０】
第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５とからなる。
【００３１】
第３レンズ群Ｇ３は、像側に凸面を向けた負メニスカス形状の第６レンズ素子Ｌ６からなる。また、第６レンズ素子Ｌ６の物体側面が非球面である。第６レンズ素子Ｌ６は樹脂により形成されている。
【００３２】
第４レンズ群Ｇ４は、物体側から像側へと順に、両凸形状の第７レンズ素子Ｌ７と、両凸形状の第８レンズ素子Ｌ８と、両凹形状の第９レンズ素子Ｌ９と、物体側に凸面を向けた正メニスカス形状の第１０レンズ素子Ｌ１０と、両凸形状の第１１レンズ素子Ｌ１１と、像側に凸面を向けた負メニスカス形状の第１２レンズ素子Ｌ１２とからなる。第８レンズ素子Ｌ８と第９レンズ素子Ｌ９とが互いに接合されている。また、第１０レンズ素子Ｌ１０の両面が非球面である。第１０レンズ素子Ｌ１０は、樹脂により形成されている。
【００３３】
（実施の形態５）
第１レンズ群Ｇ１は、物体側から像側へと順に、物体側に凸面を向けた負メニスカス形状の第１レンズ素子Ｌ１と、両凸形状の第２レンズ素子とからなる。第１レンズ素子Ｌ１と第２レンズ素子Ｌ２とは互いに接合されている。
【００３４】
第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５とからなる。
【００３５】
第３レンズ群Ｇ３は、像側に凸面を向けた負メニスカス形状の第６レンズ素子Ｌ６からなる。また、第６レンズ素子Ｌ６の物体側面が非球面である。第６レンズ素子Ｌ６は樹脂により形成されている。
【００３６】
第４レンズ群Ｇ４は、物体側から像側へと順に、両凸形状の第７レンズ素子Ｌ７と、両凸形状の第８レンズ素子Ｌ８と、両凹形状の第９レンズ素子Ｌ９と、物体側に凸面を向けた正メニスカス形状の第１０レンズ素子Ｌ１０と、両凸形状の第１１レンズ素子Ｌ１１と、像側に凸面を向けた負メニスカス形状の第１２レンズ素子Ｌ１２とからなる。第８レンズ素子Ｌ８と第９レンズ素子Ｌ９とが互いに接合されている。また、第１０レンズ素子Ｌ１０の両面が非球面である。第１０レンズ素子Ｌ１０は、樹脂により形成されている。
【００３７】
（実施の形態６）
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１と第２レンズ素子Ｌ２とは互いに接合されている。
【００３８】
第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５とからなる。
【００３９】
第３レンズ群Ｇ３は、像側に凸面を向けた負メニスカス形状の第６レンズ素子Ｌ６からなる。また、第６レンズ素子Ｌ６の物体側面が非球面である。第６レンズ素子Ｌ６は樹脂により形成されている。
【００４０】
第４レンズ群Ｇ４は、物体側から像側へと順に、両凸形状の第７レンズ素子Ｌ７と、両凸形状の第８レンズ素子Ｌ８と、両凹形状の第９レンズ素子Ｌ９と、物体側に凸面を向けた正メニスカス形状の第１０レンズ素子Ｌ１０と、両凸形状の第１１レンズ素子Ｌ１１と、像側に凸面を向けた負メニスカス形状の第１２レンズ素子Ｌ１２とからなる。第８レンズ素子Ｌ８と第９レンズ素子Ｌ９とが互いに接合されている。また、第１０レンズ素子Ｌ１０の両面が非球面である。第１０レンズ素子Ｌ１０は、樹脂により形成されている。
【００４１】
（実施の形態７）
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。
【００４２】
第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５とからなる。
【００４３】
第３レンズ群Ｇ３は、像側に凸面を向けた負メニスカス形状の第６レンズ素子Ｌ６からなる。また、第６レンズ素子Ｌ６の物体側面が非球面である。第６レンズ素子Ｌ６は樹脂により形成されている。
【００４４】
第４レンズ群Ｇ４は、物体側から像側へと順に、両凸形状の第７レンズ素子Ｌ７と、両凸形状の第８レンズ素子Ｌ８と、両凹形状の第９レンズ素子Ｌ９と、物体側に凸面を向けた正メニスカス形状の第１０レンズ素子Ｌ１０と、両凸形状の第１１レンズ素子Ｌ１１と、像側に凸面を向けた負メニスカス形状の第１２レンズ素子Ｌ１２とからなる。第８レンズ素子Ｌ８と第９レンズ素子Ｌ９とが互いに接合されている。また、第１０レンズ素子Ｌ１０の両面が非球面である。第１０レンズ素子Ｌ１０は、樹脂により形成されている。
【００４５】
（実施の形態８）
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。
【００４６】
第２レンズ群Ｇ２は、物体側から像側へと順に、物体側に凸面を向けた負メニスカス形状の第３レンズ素子Ｌ３と、両凹形状の第４レンズ素子Ｌ４と、両凸形状の第５レンズ素子Ｌ５とからなる。
【００４７】
第３レンズ群Ｇ３は、像側に凸面を向けた負メニスカス形状の第６レンズ素子Ｌ６からなる。また、第６レンズ素子Ｌ６の物体側面が非球面である。第６レンズ素子Ｌ６は樹脂により形成されている。
【００４８】
第４レンズ群Ｇ４は、物体側から像側へと順に、物体側に凸面を向けた正メニスカス形状の第７レンズ素子Ｌ７と、両凸形状の第８レンズ素子Ｌ８と、両凹形状の第９レンズ素子Ｌ９と、像側に凸面を向けた正メニスカス形状の第１０レンズ素子Ｌ１０と、両凸形状の第１１レンズ素子Ｌ１１と、像側に凸面を向けた負メニスカス形状の第１２レンズ素子Ｌ１２とからなる。第８レンズ素子Ｌ８と第９レンズ素子Ｌ９とが互いに接合されている。また、第７レンズ素子Ｌ７の物体側面が非球面である。第７レンズ素子Ｌ７と第１０レンズ素子Ｌ１０は、樹脂により形成されている。
【００４９】
実施の形態１〜８では、広角端から望遠端へのズーミングに際して、第１レンズ群Ｇ１と第２レンズ群Ｇ２との間隔が広角端より望遠端で長く、第２レンズ群Ｇ２と第３レンズ群Ｇ３との間隔が広角端より望遠端で長く、第３レンズ群Ｇ３と第４レンズ群Ｇ４との間隔が広角端より望遠端で短くなるように、各レンズ群が光軸に沿って物体側に移動する。開口絞りＡは、第４レンズ群Ｇ４と共に光軸に沿って移動する。また、広角端から望遠端へのズーミングに際して、第１レンズ群Ｇ１と第２レンズ群Ｇ２との間隔が単調に増加し、第２レンズ群Ｇ２と第３レンズ群Ｇ３との間隔が減少した後増加し、第３レンズ群Ｇ３と第４レンズ群Ｇ４との間隔が単調に減少する。
【００５０】
各実施形態に係るズームレンズ系のように、ズーミング時に、第１レンズ群Ｇ１が光軸に沿って移動することが好ましい。第１レンズ群を変倍群とすることにより、第１レンズ群Ｇ１における光線高を小さくすることができる。この結果、第１レンズ群Ｇ１の小型化を実現できる。また、ズーミング時に、第４レンズ群Ｇ４が光軸に沿って移動することが好ましい。第４レンズ群Ｇ４を変倍群とすることにより、収縮時の小型化を図りつつ、ズームレンズ系の結像性能を向上することができる。
【００５１】
また、各実施形態に係るズームレンズ系では、無限遠合焦状態から近接合焦状態へのフォーカシングに際して、第３レンズ群Ｇ３が光軸に沿って物体側に移動する。第３レンズ群Ｇ３にフォーカシングレンズ群としての機能を与え、更に、第３レンズ群を１枚の樹脂レンズで構成する場合、フォーカシングレンズ群の重量を低減することができる。この構成により、動画での追従性も良い高速なフォーカシングを実現することができる。
【００５２】
各実施の形態に係るズームレンズ系では、第４レンズ群Ｇ４は、物体側から像側へと順に第１サブレンズ群と、第２サブレンズ群とから構成されている。ここで、サブレンズ群とは、１つのレンズ群が複数のレンズ素子で構成されている場合に、当該レンズ群に含まれるいずれか１枚のレンズ素子または隣り合った複数のレンズ素子の組み合わせをいう。実施の形態１〜７では、第７レンズ素子Ｌ７が第１サブレンズ群を構成し、第８レンズ素子Ｌ８〜第１２レンズ素子Ｌ１２が第２サブレンズ群を構成する。
【００５３】
そして、各実施の形態に係るズームレンズ系では、ズームレンズ加わる振動に起因する像ぶれを補正する像ぶれ補正に際して、第４レンズ群Ｇ４内の第１サブレンズ群が光軸と直交する方向に移動して、全系の振動に起因する像点移動を補正する。
【００５４】
このように、第４レンズ群を構成するレンズ素子の一部のみで像ぶれ補正レンズ群を構成する場合、像ぶれ補正レンズ群の軽量化を図ることができる。したがって、簡略な駆動機構で像ぶれ補正レンズ群を駆動することができる。特に、像ぶれ補正レンズ群が１枚のレンズ素子のみから構成される場合、像ぶれ補正レンズ群の駆動機構を一層簡略化することができる。
【００５５】
第１レンズ群は、１枚または２枚のレンズ素子から構成されていることが好ましい。第１レンズ群を構成するレンズ素子の数が増えると、第１レンズ群の直径の増大を招く。第１レンズ群が２枚のレンズ素子から構成されている場合、第１レンズ群の構成長及び直径の両方を小さくできるので、全系の小型化に有利となる。また、必要なレンズ素子の数が減ることにより、コスト低減も図ることができる。
【００５６】
第１レンズ群は、接合レンズのみで構成されていることが好ましい。この場合、望遠端における色収差を良好に補正することが可能となる。
【００５７】
第３レンズ群は樹脂レンズ素子１枚で構成されていることが好ましい。第３レンズ素子が樹脂レンズ素子で形成されることにより、高速フォーカシングに適した構成となる。また、ズームレンズ系の製造コストを低減することができる。
【００５８】
第４レンズ群には樹脂レンズ素子が含まれていることが好ましい。第４レンズ群を構成する少なくとも１枚のレンズ素子を樹脂で形成することにより、ズームレンズ系の製造コストを低減することができる。また、第３レンズ群の負のパワーを有する樹脂レンズ素子と、第４レンズ群の正のパワーを有する樹脂レンズ素子を適正な配置とすることで周辺性能の改善、温度変化による収差変動やバックフォーカスの変動を抑制することが可能となる。
【００５９】
更に、フォーカシングレンズ群と像ぶれ補正レンズ群と開口絞りとは、隣接して配置されていることが好ましい。このように配置した場合、アクチュエータを含む駆動機構を簡略化できるため、交換レンズ装置の小型化を図ることができる。特に、開口絞りが最も像側に配置される場合、駆動機構をより一層簡略化することができる。
【００６０】
以下、各実施の形態に係るズームレンズ系が満足すべき数値条件を説明する。尚、各実施の形態に係るズームレンズ系は、以下に挙げる条件をできるだけ多く満足することが望ましい。しかしながら、個別の条件を満足することにより、それぞれ対応する効果を奏するズームレンズ系を得ることもできる。
【００６１】
各実施の形態に係るズームレンズ系は、以下の条件（１）、（２）を満足することが好ましい。
０．５≦（ｒ３ｇ２＋ｒ３ｇ１）／（ｒ３ｇ２−ｒ３ｇ１）≦２．０  ・・・（１）
−１６．０≦（ｒ４ｇ２＋ｒ４ｇ１）／（ｒ４ｇ２−ｒ４ｇ１）≦−１．０・・・（２）
ここで、
ｒ３ｇ１：前記第３レンズ群内の樹脂レンズの物体側近軸曲率半径
ｒ３ｇ２：前記第３レンズ群内の樹脂レンズの像側近軸曲率半径
ｒ４ｇ１：前記第４レンズ群内の樹脂レンズの物体側近軸曲率半径
ｒ４ｇ２：前記第４レンズ群内の樹脂レンズの像側近軸曲率半径
である。
【００６２】
条件（１）は、第３レンズ群の樹脂レンズ素子の形状を規定する。条件（１）の上限、下限を超える場合、ズームレンズ系の小型化と、像面湾曲、歪曲を始めとする諸収差の良好な補正、温度変化による収差変動の抑制をすることが困難となる。
【００６３】
条件（２）は、第４レンズ群の樹脂レンズ素子の形状を規定する。条件（２）の上限、下限を超える場合、ズームレンズ系の小型化と、像面湾曲を始めとする諸収差の良好な補正、温度変化による収差変動の抑制をすることが困難となる。
【００６４】
各実施の形態に係るズームレンズ系は、以下の条件（３）を満足することが好ましい。
４．０≦ｆ３ｐ／ｆ２３  ≦６．０  ・・・（３）
ここで、
ｆ３ｐ：前記第３レンズ群内樹脂レンズの焦点距離
ｆ２３：前記第２及び第３レンズ群の合成焦点距離
である。
【００６５】
条件（３）は、第３レンズ群の樹脂レンズ素子と第２レンズ群との関係を規定する。条件（３）の上限を上回ると、第３レンズ群内樹脂レンズのパワーが小さくなりすぎ、フォーカシング時の移動量が大きくなることから高速なフォーカシングに不利となるとともに、ズームレンズ系の小型化にも不利となる。また、条件（３）の下限を下回ると、第３レンズ群内樹脂レンズ素子のパワーが強くなりすぎ、無限遠から最至近へのフォーカシング時に収差の変動、特に像面湾曲の変動を抑制しきれなくなるともに、温度変化による収差変動、バックフォーカスの変動量も大きくなる。また、フォーカシング時に画角の変化量が大きくなることから映像上も好ましくない。
各実施の形態に係るズームレンズ系は、以下の条件（４）を満足することが好ましい。
４．０≦ｆ４ｐ／ｆ４  ≦８．０  ・・・（４）
ここで、
ｆ４ｐ：前記第４群内樹脂非球面レンズの焦点距離
ｆ４：前記第４レンズ群の焦点距離
である。
【００６６】
条件（４）は、第４レンズ群の樹脂レンズ素子と第４レンズ群との関係を規定する。条件（４）の上限を上回ると、第４レンズ群内樹脂レンズのパワーが小さくなりすぎ、軸外収差の抑制が不十分となる。また、条件（４）の下限を下回ると、第４レンズ群内樹脂レンズ素子のパワーが強くなりすぎ、温度変化による収差変動、バックフォーカスの変動量が大きくなることから好ましくない。
【００６７】
条件（１）、（２）、（３）、（４）を満たすことで、温度変化による収差変動、バックフォーカスの変動をより良好に補正することが可能となる。
【００６８】
各実施の形態に係るズームレンズ系は、以下の条件（５）を満足することが好ましい。
【００６９】
０．７７＜｜Ｄ１／ｆＷ｜＜３．５  ・・・（５）
ここで、
Ｄ１：広角端から望遠端へのズーミング時における第１レンズ群の移動量（ｍｍ）、
ｆＷ：広角端における全系の焦点距離（ｍｍ）
である。
【００７０】
条件（５）は、第１レンズ群の移動量を規定する。条件（５）が満たされる場合、ズームレンズ系のコンパクト化と、像面湾曲を始めとする諸収差の良好な補正とを達成することができる。条件（５）の上限を超えると、カムが大型化し、収縮時におけるズームレンズ系のコンパクト化が困難となる。一方、条件（４）の下限を下回ると、諸収差、特に望遠端での像面湾曲の補正が困難となる。
【００７１】
上記条件（５）に加えて、各実施の形態に係るズームレンズ系が、以下の条件（５’）及び（５’’）の少なくとも一方を満足する場合、上述の有利な効果が更に顕著に発揮される。
【００７２】
１．７＜｜Ｄ１／ｆＷ｜  ・・・（５’）
｜Ｄ１／ｆＷ｜＜２．３  ・・・（５’’）
各実施の形態に係るズームレンズ系は、以下の条件（６）を満足することが好ましい。
【００７３】
０．７１＜｜Ｄ４ＷＴ／ｆＷ｜＜２．５  ・・・（６）
ここで、
Ｄ４ＷＴ：広角端から望遠端へのズーミング時における第４レンズ群の移動量（ｍｍ）、
ｆＷ：広角端における全系の焦点距離（ｍｍ）
である。
【００７４】
条件（６）は、ズーミング時における第４レンズ群の移動量を規定する。条件（６）が満たされる場合、ズームレンズの小型化と良好な収差補正とを達成することができる。条件（６）の上限を超えると、変倍時の第４レンズ群の移動量が大きくなり、小型化が困難となる。一方、条件（６）の下限を下回ると、第４レンズ群による変倍への寄与が小さくなりすぎ、収差補正が困難となる。
【００７５】
上記条件（６）に加えて、各実施の形態に係るズームレンズ系が、以下の条件（６’）及び（６’’）の少なくとも一方を満足する場合、上述の有利な効果が更に顕著に発揮される。
【００７６】
１．１＜｜Ｄ４ＷＴ／ｆＷ｜  ・・・（６’）
｜Ｄ４ＷＴ／ｆＷ｜＜１．９  ・・・（６’’）
各実施の形態に係るズームレンズ系は、以下の条件（７）を満足することが好ましい。
【００７７】
０．７＜ＢＦＷ／ｆＷ＜３．０  ・・・（７）
ここで、
ＢＦＷ：広角端における全系のバックフォーカス（ｍｍ）
ｆＷ：広角端における全系の焦点距離（ｍｍ）
である。
【００７８】
条件（７）は、広角端における全系のバックフォーカスを規定する。条件（７）が満たされる場合、ズームレンズ系の小型化と撮像領域周辺部の画質低下の回避とを両立することができる。条件（７）の上限を超えると、ズームレンズ系の小型化が困難となる。一方、条件（７）の下限を下回ると、撮像素子に対する光線入射角が大きくなり、撮像領域周辺部での照度の確保が困難となる。
【００７９】
上記条件（７）に加えて、各実施の形態に係るズームレンズ系が、以下の条件（７’）及び（７’’）の少なくとも一方を満足する場合、上述の有利な効果が更に顕著に発揮される。
【００８０】
１．１＜ＢＦＷ／ｆＷ  ・・・（７’）
ＢＦＷ／ｆＷ＜１．８  ・・・（７’’）
各実施の形態に係るズームレンズ系は、以下の条件（８）を満足することが好ましい。
【００８１】
１．７５＜ｎｄ２＜１．８５  ・・・（８）
ここで、
ｎｄ２：第２レンズ群を構成する正レンズ素子のｄ線に対する屈折率
である。
【００８２】
条件（８）は、第２レンズ群を構成する正レンズ素子のｄ線に対する屈折率を規定する。条件（８）が満たされる場合、低コストでズームレンズ系の小型化を実現することができる。条件（８）の上限を超えると、低コスト化が困難となる。一方、条件（８）の下限を下回ると、第２レンズ群を構成する正レンズ素子の収差に対する敏感度が増大し、ものづくり上、不利となる。
【００８３】
上記条件（８）に加えて、各実施の形態に係るズームレンズ系が、以下の条件（８’）を満足する場合、上述の有利な効果が更に顕著に発揮される。
【００８４】
１．８０＜ｎｄ２＜１．８５・・・（８’）
各実施の形態に係るズームレンズ系は、以下の条件（９）を満足することが好ましい。
【００８５】
２１＜νｄ２＜３０  ・・・（９）
ここで、
νｄ２：第２レンズ群を構成する正レンズ素子のアッベ数
である。
【００８６】
条件（９）は、第２レンズ群を構成する正レンズ素子のアッベ数を規定する。条件（９）が満たされる場合、低コストで画質に優れたズームレンズ系を実現できる。条件（９）の下限を超えると、低コスト化が困難となる。一方、条件（９）の上限を上回ると、色収差の補正が困難となる。
【００８７】
上記条件（９）に加えて、各実施の形態に係るズームレンズ系が、以下の条件（９’）を満足する場合、上述の有利な効果が更に顕著に発揮される。
【００８８】
２０＜νｄ２＜２５・・・（９’）
尚、各実施の形態に係るズームレンズ系の各レンズ群は、入射光線を屈折により変更させる屈折型レンズ素子（つまり、異なる屈折率を有する媒質同士の界面で偏向が行われるタイプのレンズ）のみで構成しても良い。あるいは、各レンズ群は、回折作用により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等のいずれか１種類または複数種類の組み合わせによって構成しても良い。
【００８９】
（実施の形態９）
図２５は、実施の形態９に係るレンズ交換式デジタルカメラシステムの概略構成図である。
【００９０】
本実施の形態に係るレンズ交換式デジタルカメラシステム１００（以下、単に「カメラシステム」という）は、カメラ本体１０１と、カメラ本体１０１に着脱自在に接続される交換レンズ装置２０１とを備える。
【００９１】
カメラ本体１０１は、交換レンズ装置２０１のズームレンズ系２０２によって形成される光学像を受光して、電気的な画像信号に変換する撮像素子１０２と、撮像素子１０２によって変換された画像信号を表示する液晶モニタ１０３と、カメラマウント部１０４とを含む。一方、交換レンズ装置２０１は、上記の実施の形態１〜８のいずれかに係るズームレンズ系２０２と、ズームレンズ系２０２を保持する鏡筒と、カメラ本体のカメラマウント部１０４に接続されるレンズマウント部２０４とを含む。カメラマウント部１０４及びレンズマウント部２０４は、物理的な接続のみならず、カメラ本体内１０１のコントローラ（図示せず）と交換レンズ装置２０１内のコントローラ（図示せず）とを電気的に接続し、相互の信号のやり取りを可能とするインターフェースとしても機能する。
【００９２】
本実施の形態では、実施の形態１〜８のいずれかに係るズームレンズ系２０２を用いている。したがって、コンパクトで結像性能に優れた交換レンズ装置を低コストで実現することができる。また、本実施の形態に係るカメラシステム１００全体の小型化及び低コスト化も達成できる。
【実施例】
【００９３】
以下、上記の各実施の形態に係るズームレンズ系を具体的に実施した数値実施例を説明する。後述するように、数値実施例１、２、３、４、５、６、７、８は、それぞれ実施の形態１、２、３、４、５、６、７、８に対応する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【００９４】
【数１】
2011203293.tif 000003
【００９５】
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【００９６】
図２、５、８、１１、１４、１７、２０、２２は、それぞれ数値実施例１、２、３、４、５、６、７、８に係るズームレンズ系の無限遠合焦状態の縦収差図である。
【００９７】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【００９８】
図３、６、９、１２、１５、１８、２１、２４は、それぞれ数値実施例１、２、３、４、５、６、７、８に係るズームレンズ系の像ぶれ補正を行っていない基本状態及び像ぶれ補正状態での横収差図である。
【００９９】
各横収差図において、上段３つの収差図は、望遠端における像ぶれ補正を行っていない基本状態、下段３つの収差図は、第４レンズ群Ｇ４に含まれる像ぶれ補正サブレンズ群（第１サブレンズ群）を光軸と垂直な方向に所定量移動させた望遠端における像ぶれ補正状態にそれぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸を含む平面としている。
【０１００】
各数値実施例のズームレンズ系の像ぶれ補正状態において、望遠端における、像ぶれ補正サブレンズ群の光軸と垂直な方向への移動量（ＹＴ（ｍｍ））は、以下の表１に示す通りである。像ぶれ補正角は、０．３°である。すなわち、以下に示す像ぶれ補正サブレンズ群の移動量は、ズームレンズ系の光軸が０．３°傾いた時の像偏心量と等しい。
【０１０１】
表１  （像ぶれ補正サブレンズ群の移動量）
【０１０２】
【表１】
2011203293.tif 000004
【０１０３】
（数値実施例１）
数値実施例１のズームレンズ系は、実施の形態１（図１）に対応する。ズームレンズ系の面データを表２に、非球面データを表３に、各種データを表４に、単レンズデータを表５に、ズームレンズ群データを表６に、ズームレンズ群倍率を表７に示す。
【０１０４】
表２  （面データ）
面番号         r           d           nd         vd                
物面             ∞                                               
1         33.50870     1.20000     1.84666    23.8               
2         24.34470     0.01000     1.56732    42.8               
3         24.34470     5.84730     1.58913    61.3               
4        770.18550        可変                                   
5         50.42760     0.70000     1.77250    49.6               
6          8.45400     5.02000                                   
7       -116.87060     0.70000     1.77250    49.6               
8         14.81520     0.15000                                   
9         12.55060     3.27450     1.75520    27.5               
10       -127.34760        可変                                   
11*       -21.46120     0.70000     1.52996    55.8               
12       -114.18030        可変                                   
13        110.06060     1.50000     1.71300    53.9               
14        -68.90680     1.50000                                   
15(絞り)           ∞     0.50000                                   
16         15.56230     3.25530     1.62299    58.1               
17        -15.68650     0.01000     1.56732    42.8               
18        -15.68650     0.70000     1.80610    33.3               
19        257.82970     5.49080                                   
20*      -287.07760     1.47350     1.52996    55.8               
21*       -44.81680     3.08350                                   
22         21.75700     4.00000     1.51680    64.2               
23         -9.42310     0.01000     1.56732    42.8               
24         -9.42310     0.80000     1.77250    49.6               
25        -96.38160      BF                                       
像面             ∞    
表３  （非球面データ）
第11面
K= 0.00000E+00, A4= 1.50944E-05, A6=-1.19777E-08, A8=-7.41340E-09 
A10= 0.00000E+00 
第20面
K= 0.00000E+00, A4= 3.78028E-04, A6= 1.24826E-06, A8= 4.94803E-08 
A10=-2.56342E-10 
第21面
K= 0.00000E+00, A4= 3.72857E-04, A6= 1.69541E-06, A8= 4.77015E-08 
A10= 0.00000E+00  
表４  （各種データ）
ズーム比     3.04825
広角      中間      望遠
焦点距離      14.2430   25.0042   43.4163
Ｆナンバー     3.62739   4.89565   5.60738
画角        40.1245   23.6936   13.7116
像高        10.8150   10.8150   10.8150
レンズ全長     80.9694   90.9010  110.1775
ＢＦ       24.45549  35.41038  46.13855
d4           0.4000    6.3818   17.6435 
d10          4.1705    3.4735    4.8705 
d12         12.0185    5.7104    1.6000 
入射瞳位置     17.5984   26.5581   53.1362
射出瞳位置    -16.1368  -16.1368  -16.1368
前側主点位置   26.8413   39.4187   66.1924
後側主点位置   66.7061   65.8344   66.5731
表５  （単レンズデータ）
レンズ     始面     焦点距離
1         1     -111.8550
2         3       42.5484
3         5      -13.2441
4         7      -16.9813
5         9       15.2819
6        11      -50.0000
7        13       59.6415
8        16       13.0619
9        18      -18.3228
10        20      100.0000
11        22       13.3047
12        24      -13.5744
表６  （ズームレンズ群データ）
群   始面    焦点距離  レンズ構成長    前側主点位置  後側主点位置
1      1    70.66414     7.05730        -0.72108       2.02647
2      5   -15.97801     9.84450        -0.57383       0.83066
3     11   -50.00001     0.70000        -0.10618       0.13509
4     13    18.92659    22.32310         3.92586       7.80210  
表７  （ズームレンズ群倍率）
群   始面    広角       中間       望遠
1      1   -0.00712   -0.00712   -0.00712
2      5   -0.31745   -0.36027   -0.48289
3     11    0.59433    0.59442    0.57161
4     13   -1.05935   -1.63816   -2.20499  
（数値実施例２）
数値実施例２のズームレンズ系は、実施の形態２（図４）に対応する。ズームレンズ系の面データを表８に、非球面データを表９に、各種データを表１０に、単レンズデータを表１１に、ズームレンズ群データを表１２に、ズームレンズ群倍率を表１３に示す。
表８  （面データ）
面番号         r           d           nd         vd                
物面             ∞                                               
1         37.57230     1.20000     1.84666    23.8               
2         26.60020     0.01000     1.56732    42.8               
3         26.60020     5.51520     1.58913    61.3               
4      13880.19970        可変                                   
5         49.70900     0.70000     1.77250    49.6               
6          8.87080     5.02000                                   
7       -192.25050     0.70000     1.77250    49.6               
8         14.19680     0.18280                                   
9         12.23620     3.17090     1.75520    27.5               
10       -386.56780        可変                                   
11*       -17.67130     0.70000     1.52996    55.8               
12        -53.77740        可変                                   
13        286.87990     1.50000     1.71300    53.9               
14        -52.82520     1.50000                                   
15(絞り)           ∞     0.50000                                   
16         14.69290     3.29520     1.62299    58.1               
17        -16.03850     0.01000     1.56732    42.8               
18        -16.03850     0.70000     1.80610    33.3               
19        283.01140     2.56810                                   
20        -14.08480     1.56680     1.52996    55.8               
21*       -11.55620     7.27980                                   
22         27.51550     4.00000     1.48749    70.4               
23         -9.73610     0.01000     1.56732    42.8               
24         -9.73610     0.80000     1.77250    49.6               
25        -50.43020     0.00000                                   
像面             ∞      BF                                          
表９  （非球面データ）
第11面
K= 0.00000E+00, A4= 9.92586E-06, A6=-2.08833E-07, A8=-6.17252E-09 
A10= 0.00000E+00 
第21面
K= 0.00000E+00, A4= 5.30598E-05, A6= 3.76810E-07, A8=-8.99453E-09 
A10= 1.14174E-10
表１０  （各種データ）
ズーム比     2.82336
広角      中間      望遠
焦点距離      14.3520   24.1554   40.5210
Ｆナンバー     3.61285   4.73619   5.50279
画角        39.9238   24.3513   14.6565
像高        10.8150   10.8150   10.8150
レンズ全長     80.5693   90.8458  109.6370
ＢＦ       23.44339  33.08718  44.52611
d4           0.4000    7.3953   17.5310 
d10          4.3510    3.5683    5.0511 
d12         11.4461    5.8662    1.6000 
入射瞳位置     17.1780   27.5283   49.3806
射出瞳位置    -17.8569  -17.8569  -17.8569
前側主点位置   26.5402   40.2172   63.5118
後側主点位置   66.1967   66.6321   68.9522
表１１  （単レンズデータ）
レンズ     始面     焦点距離
1         1     -113.2646
2         3       45.2318
3         5      -14.0828
4         7      -17.0887
5         9       15.7594
6        11      -50.0001
7        13       62.6828
8        16       12.8368
9        18      -18.8097
10        20       99.9994
11        22       15.2901
12        24      -15.7537
表１２  （ズームレンズ群データ）
群   始面    焦点距離  レンズ構成長    前側主点位置  後側主点位置
1      1    77.19404     6.72520        -0.49884       2.10756
2      5   -16.21771     9.77370        -0.29804       1.25952
3     11   -50.00011     0.70000        -0.22544       0.01394
4     13    18.90141    23.72990         4.24022       7.88582
表１３  （ズームレンズ群倍率）
群   始面    広角       中間       望遠
1      1   -0.00778   -0.00778   -0.00778
2      5   -0.28524   -0.32525   -0.40824
3     11    0.59892    0.59988    0.58019
4     13   -1.07855   -1.58876   -2.19395
（数値実施例３）
数値実施例３のズームレンズ系は、実施の形態３（図７）に対応する。ズームレンズ系の面データを表１４に、非球面データを表１５に、各種データを表１６に、単レンズデータを表１７に、ズームレンズ群データを表１８に、ズームレンズ群倍率を表１９に示す。
表１４  （面データ）
面番号         r           d           nd         vd                
物面             ∞                                               
1         37.73560     1.20000     1.84666    23.8               
2         27.34100     1.14030                                   
3         27.76290     5.27830     1.58913    61.3               
4     -19486.36240        可変                                   
5         54.23130     0.70000     1.80539    45.2               
6          9.37290     5.02000                                   
7        -73.59060     0.70000     1.80420    46.5               
8         18.38340     0.15000                                   
9         14.49100     3.53360     1.76180    26.5               
10        -43.44010        可変                                   
11*       -17.57470     0.70000     1.52996    55.8               
12       -148.68850        可変                                   
13        266.73430     1.50000     1.71300    53.9               
14        -49.63650     1.50000                                   
15(絞り)           ∞     0.50000                                   
16         15.97300     3.29170     1.62299    58.1               
17        -13.86300     0.01000     1.56732    42.8               
18        -13.86300     0.70000     1.80610    33.3               
19        250.58120     6.81300                                   
20*     -3773.71920     1.31950     1.52996    55.8               
21*      -185.55920     1.35740                                   
22         17.71230     3.72070     1.48749    70.4               
23        -14.71380     1.17140                                   
24        -10.98110     0.80000     1.77250    49.6               
25        -38.73780      BF                                       
像面             ∞                                      
表１５  （非球面データ）
第11面
K= 0.00000E+00, A4= 1.10049E-05, A6=-8.77567E-08, A8=-2.13419E-09 
A10= 0.00000E+00 
第20面
K= 0.00000E+00, A4= 5.75644E-04, A6=-9.40863E-07, A8= 3.55213E-08 
A10=-1.35130E-10 
第21面
K= 0.00000E+00, A4= 5.57623E-04, A6= 1.06885E-08, A8= 3.02312E-08 
A10= 0.00000E+00
表１６  （各種データ）
ズーム比     3.01502
広角      中間      望遠
焦点距離      14.4000   25.0038   43.4162
Ｆナンバー     3.62701   4.86660   5.60713
画角        39.8342   23.6470   13.7240
像高        10.8150   10.8150   10.8150
レンズ全長     80.9884   90.7452  110.1467
ＢＦ       23.44315  33.82572  44.56279
d4           0.4001    6.8686   18.7080 
d10          3.4700    3.2512    4.1700 
d12         12.5692    5.6938    1.6000 
入射瞳位置     18.1147   27.0889   52.1877
射出瞳位置    -16.1382  -16.1382  -16.1382
前側主点位置   27.2732   39.5642   64.4541
後側主点位置   66.5677   65.6790   66.5424
表１７  （単レンズデータ）
レンズ     始面     焦点距離
1         1     -123.7840
2         3       47.0630
3         5      -14.1680
4         7      -18.2284
5         9       14.6503
6        11      -37.6771
7        13       58.8101
8        16       12.4398
9        18      -16.2768
10        20      368.1984
11        22       17.1311
12        24      -20.0911
表１８  （ズームレンズ群データ）
群   始面    焦点距離  レンズ構成長    前側主点位置  後側主点位置
1      1    76.59153     7.61860         1.41723       3.89328
2      5   -22.30547    10.10360        -2.55244      -2.11737
3     11   -37.67712     0.70000        -0.06144       0.18018
4     13    18.98645    22.68370         3.84136       8.07685
表１９  （ズームレンズ群倍率）
群   始面    広角       中間       望遠
1      1   -0.00772   -0.00772   -0.00772
2      5   -0.41846   -0.47625   -0.63737
3     11    0.44354    0.43802    0.41619
4     13   -1.00406   -1.55090   -2.11641
（数値実施例４）
数値実施例４のズームレンズ系は、実施の形態４（図１０）に対応する。ズームレンズ系の面データを表２０に、非球面データを表２１に、各種データを表２２に、単レンズデータを表２３に、ズームレンズ群データを表２４に、ズームレンズ群倍率を表２５に示す。
表２０  （面データ）
面番号         r           d           nd         vd                
物面             ∞                                               
1         37.32260     1.20000     1.84666    23.8               
2         26.94840     1.42300                                   
3         27.41330     5.36740     1.58913    61.3               
4      -3741.80660        可変                                   
5         62.26820     0.70000     1.77250    49.6               
6          9.19270     5.02000                                   
7        -59.93660     0.70000     1.77250    49.6               
8         18.71730     0.15000                                   
9         14.41930     3.72090     1.71736    29.5               
10        -33.16660        可変                                   
11*       -17.14010     0.70000     1.52996    55.8               
12       -244.91550        可変                                   
13        204.25790     1.50000     1.71300    53.9               
14        -53.73270     1.50000                                   
15(絞り)           ∞     0.50000                                   
16         15.70190     3.23680     1.62299    58.1               
17        -14.70420     0.01000     1.56732    42.8               
18        -14.70420     0.70000     1.80610    33.3               
19        435.01800     6.90350                                   
20*      -236.86850     1.34750     1.52996    55.8               
21*       -90.55840     1.61150                                   
22         17.26040     3.61070     1.48749    70.4               
23        -13.93540     0.65960                                   
24        -11.01420     0.80000     1.77250    49.6               
25        -51.06640      BF                                       
像面             ∞                                           
表２１  （非球面データ）
第11面
K= 0.00000E+00, A4= 1.39196E-05, A6=-8.50233E-08, A8=-2.35288E-09 
A10= 0.00000E+00 
第20面
K= 0.00000E+00, A4= 5.70926E-04, A6=-7.94359E-07, A8= 4.53692E-08 
A10=-1.69327E-10 
第21面
K= 0.00000E+00, A4= 5.49448E-04, A6= 1.12374E-07, A8= 3.79362E-08 
A10= 0.00000E+00
表２２  （各種データ）
ズーム比     3.01496
広角      中間      望遠
焦点距離      14.4001   25.0039   43.4158
Ｆナンバー     3.62637   4.84120   5.58339
画角        39.8279   23.5881   13.7091
像高        10.8150   10.8150   10.8150
レンズ全長     80.9941   91.1278  110.1478
ＢＦ       23.49617  33.62255  44.36238
d4           0.4000    7.3024   18.7180 
d10          3.4065    3.1847    4.1065 
d12         12.3305    5.6573    1.6000 
入射瞳位置     18.3357   28.1745   52.8511
射出瞳位置    -16.0530  -16.0530  -16.0530
前側主点位置   27.4899   40.5770   64.9699
後側主点位置   66.5732   66.0616   66.5438
表２３  （単レンズデータ）
レンズ     始面     焦点距離
1         1     -120.9218
2         3       46.2179
3         5      -14.0417
4         7      -18.3923
5         9       14.4828
6        11      -34.8131
7        13       59.8104
8        16       12.7077
9        18      -17.6325
10        20      275.7626
11        22       16.4400
12        24      -18.3384
表２４  （ズームレンズ群データ）
群   始面    焦点距離  レンズ構成長    前側主点位置  後側主点位置
1      1    75.14899     7.99040         1.92412       4.42746
2      5   -23.94733    10.29090        -3.34002      -3.44835
3     11   -34.81307     0.70000        -0.03447       0.20752
4     13    18.89594    22.37960         3.79445       7.80130
表２５  （ズームレンズ群倍率）
群   始面    広角       中間       望遠
1      1   -0.00757   -0.00757   -0.00757
2      5   -0.46820   -0.54124   -0.72944
3     11    0.39977    0.39287    0.37019
4     13   -1.01496   -1.55086   -2.11923
（数値実施例５）
数値実施例５のズームレンズ系は、実施の形態５（図１３）に対応する。ズームレンズ系の面データを表２６に、非球面データを表２７に、各種データを表２８に、単レンズデータを表２９に、ズームレンズ群データを表３０に、ズームレンズ群倍率を表３１に示す。
表２６  （面データ）
面番号         r           d           nd         vd                
物面             ∞                                               
1         37.23400     1.20000     1.84666    23.8               
2         26.84670     0.01000     1.56732    42.8               
3         26.84670     5.45910     1.58913    61.3               
4       2215.97130        可変                                   
5         45.36720     0.70000     1.77250    49.6               
6          8.41380     5.02000                                   
7        -94.88830     0.70000     1.77250    49.6               
8         15.05430     0.15000                                   
9         12.57290     3.28720     1.75520    27.5               
10       -113.06210        可変                                   
11*       -20.31100     0.70000     1.52996    55.8               
12        -88.02730        可変                                   
13        168.49360     1.50000     1.71300    53.9               
14        -56.87840     1.50000                                   
15(絞り)           ∞     0.50000                                   
16         16.43900     3.21830     1.62299    58.1               
17        -14.61060     0.01000     1.56732    42.8               
18        -14.61060     0.70000     1.80610    33.3               
19       1677.69290     1.15000                                   
20               ∞     5.05960                                   
21*      -165.67420     1.47600     1.52996    55.8               
22*       -40.27600     2.97010                                   
23         19.48920     4.00000     1.51680    64.2               
24        -10.20920     0.01000     1.56732    42.8               
25        -10.20920     0.80000     1.77250    49.6               
26       -203.58540     0.00000                                   
像面             ∞      BF                                          
表２７  （非球面データ）
第11面
K= 0.00000E+00, A4= 1.01618E-05, A6=-2.01377E-09, A8=-8.05003E-09 
A10= 0.00000E+00 
第21面
K= 0.00000E+00, A4= 4.68926E-04, A6= 1.13286E-06, A8= 7.56245E-08 
A10=-4.83482E-10 
第22面
K= 0.00000E+00, A4= 4.58013E-04, A6= 1.90208E-06, A8= 7.37638E-08 
A10= 0.00000E+00
表２８  （各種データ）
ズーム比     2.92152
広角      中間      望遠
焦点距離      13.8700   24.1560   40.5213
Ｆナンバー     3.62179   4.91414   5.57549
画角        38.3136   24.2536   14.6558
像高         9.9150   10.6900   10.8150
レンズ全長     80.5680   90.1752  109.7126
ＢＦ       24.04624  35.36443  45.64595
d4           0.4000    5.8746   17.7283 
d10          3.9181    3.3527    4.6181 
d12         12.0834    5.4632    1.6000 
入射瞳位置     16.8955   24.3444   49.4494
射出瞳位置    -16.9354  -16.9354  -16.9354
前側主点位置   26.0690   37.3309   63.6644
後側主点位置   66.6788   65.9610   69.0275
表２９  （単レンズデータ）
レンズ     始面     焦点距離
1         1     -120.0195
2         3       46.0864
3         5      -13.4828
4         7      -16.7728
5         9       15.1529
6        11      -50.0000
7        13       59.8062
8        16       12.9311
9        18      -17.9653
10        21       99.9999
11        23       13.5873
12        25      -13.9386
表３０  （ズームレンズ群データ）
群   始面    焦点距離  レンズ構成長    前側主点位置  後側主点位置
1      1    76.69823     6.66910        -0.56157       2.02859
2      5   -16.33322     9.85720        -0.61702       0.75981
3     11   -50.00003     0.70000        -0.13773       0.10310
4     13    19.01266    22.89400         4.37761       8.12956
表３１  （ズームレンズ群倍率）
群   始面    広角       中間       望遠
1      1   -0.00773   -0.00773   -0.00773
2      5   -0.28891   -0.31988   -0.41660
3     11    0.59574    0.59616    0.57660
4     13   -1.04131   -1.63661   -2.17738
（数値実施例６）
数値実施例６のズームレンズ系は、実施の形態６（図１６）に対応する。ズームレンズ系の面データを表３２に、非球面データを表３３に、各種データを表３４に、単レンズデータを表３５に、ズームレンズ群データを表３６に、ズームレンズ群倍率を表３７に示す。
表３２  （面データ）
面番号         r           d           nd         vd                
物面             ∞                                               
1         35.88200     1.20000     1.84666    23.8               
2         25.42920     0.01000     1.56732    42.8               
3         25.42920     5.44830     1.65139    58.4               
4        437.98360        可変                                   
5         51.74640     0.70000     1.77250    49.6               
6          8.54300     5.02000                                   
7        -66.22930     0.70000     1.77250    49.6               
8         16.19980     0.37420                                   
9         13.97200     3.22940     1.75521    26.7               
10        -68.63260        可変                                   
11*       -23.41950     0.70000     1.52996    55.8               
12       -203.67050        可変                                   
13        118.26130     1.50000     1.71300    53.9               
14        -58.52660     1.50000                                   
15(絞り)           ∞     0.50000                                   
16         13.90040     3.31430     1.58260    62.5               
17        -14.69830     0.01000     1.56732    42.8               
18        -14.69830     0.70000     1.80610    33.3               
19        234.66000     1.15000                                   
20               ∞     0.71670                                   
21*       -16.89620     1.52250     1.52996    55.8               
22*       -13.21150     5.98310                                   
23         30.54530     4.51620     1.50916    58.9               
24         -8.67360     0.01000     1.56732    42.8               
25         -8.67360     0.80000     1.77250    49.6               
26        -39.49310     0.00000                                   
像面             ∞      BF                                          
表３３  （非球面データ）
第11面
K= 0.00000E+00, A4= 2.04701E-05, A6=-3.34284E-07, A8= 1.08403E-09 
A10= 0.00000E+00 
第21面
K= 0.00000E+00, A4= 8.16947E-05, A6= 5.21682E-06, A8=-1.45659E-07 
A10= 9.54490E-10 
第22面
K= 0.00000E+00, A4= 1.07018E-04, A6= 3.26622E-06, A8=-7.01231E-08 
A10= 0.00000E+00
表３４  （各種データ）
ズーム比     2.87860
広角      中間      望遠
焦点距離      14.0767   24.1555   40.5211
Ｆナンバー     3.62768   4.78008   5.75355
画角        37.8791   24.0987   14.6556
像高         9.9150   10.6900   10.8150
レンズ全長     80.5685   90.2233  106.7594
ＢＦ       24.41446  34.17180  44.26436
d4           0.4000    6.9116   16.3642 
d10          4.2261    3.8432    4.9261 
d12         11.9232    5.6920    1.6000 
入射瞳位置     17.0215   27.2381   49.2906
射出瞳位置    -16.3150  -16.3150  -16.3150
前側主点位置   26.2307   39.8230   62.6339
後側主点位置   66.4720   66.0096   66.0744
表３５  （単レンズデータ）
レンズ     始面     焦点距離
1         1     -108.8299
2         3       41.2296
3         5      -13.3399
4         7      -16.7871
5         9       15.6346
6        11      -50.0000
7        13       55.1049
8        16       12.8089
9        18      -17.1376
10        21      100.0004
11        23       13.8039
12        25      -14.5525
表３６  （ズームレンズ群データ）
群   始面    焦点距離  レンズ構成長    前側主点位置  後側主点位置
1      1    68.26572     6.65830        -0.74245       1.99472
2      5   -16.37228    10.02360        -0.95781       0.02918
3     11   -49.99995     0.70000        -0.05953       0.18233
4     13    19.09642    22.22280         4.09347       7.71933
表３７  （ズームレンズ群倍率）
群   始面    広角       中間       望遠
1      1   -0.00687   -0.00687   -0.00687
2      5   -0.33927   -0.39219   -0.50700
3     11    0.58080    0.57756    0.55845
4     13   -1.03797   -1.54892   -2.07743
（数値実施例７）
数値実施例７のズームレンズ系は、実施の形態７（図１９）に対応する。ズームレンズ系の面データを表３８に、非球面データを表３９に、各種データを表４０に、単レンズデータを表４１に、ズームレンズ群データを表４２に、ズームレンズ群倍率を表４３に示す。
表３８  （面データ）
面番号         r           d           nd         vd                
物面             ∞                                               
1         35.08750     1.20000     1.84666    23.8               
2         24.88190     1.68680                                   
3         25.41960     5.71220     1.58913    61.3               
4      -1193.13930        可変                                   
5         58.35410     0.70000     1.77250    49.6               
6          8.84610     5.02000                                   
7       -273.84010     0.70000     1.77250    49.6               
8         13.67120     0.15000                                   
9         11.88210     3.23440     1.75520    27.5               
10       -252.47940        可変                                   
11*       -18.53760     0.70000     1.52996    55.8               
12        -62.51350        可変                                   
13         96.12340     1.50000     1.71300    53.9               
14        -73.97620     1.50000                                   
15(絞り)           ∞     0.50000                                   
16         14.10090     3.34380     1.62299    58.1               
17        -15.24690     0.01000     1.56732    42.8               
18        -15.24690     0.70000     1.80610    33.3               
19        249.13810     4.08620                                   
20*       -33.48840     1.27080     1.52996    55.8               
21*       -29.41980     4.98230                                   
22         20.63040     4.00000     1.48749    70.4               
23        -10.73960     0.30000                                   
24        -10.73990     0.80000     1.77250    49.6               
25        -73.24410      BF                                       
像面             ∞                                              
表３９  （非球面データ）
第11面
K= 0.00000E+00, A4= 1.01130E-05, A6=-1.92586E-07, A8=-8.72034E-09 
A10= 0.00000E+00 
第20面
K= 0.00000E+00, A4= 5.88045E-04, A6= 2.08336E-06, A8= 3.42829E-08 
A10=-8.34219E-10 
第21面
K= 0.00000E+00, A4= 6.18762E-04, A6= 3.77609E-06, A8= 3.23180E-08 
A10= 0.00000E+00
表４０  （各種データ）
ズーム比     3.06141
広角      中間      望遠
焦点距離      14.1817   25.0039   43.4161
Ｆナンバー     3.60612   4.94634   5.60449
画角        40.2384   23.7224   13.7115
像高        10.8150   10.8150   10.8150
レンズ全長     80.9690   90.7996  110.1592
ＢＦ       22.74139  34.20330  44.12490
d4           0.4000    5.7269   17.9009 
d10          3.7369    3.3916    4.4369 
d12         11.9942    5.3813    1.6000 
入射瞳位置     18.5696   25.8806   52.8191
射出瞳位置    -16.7224  -16.7224  -16.7224
前側主点位置   27.6524   38.5928   65.1607
後側主点位置   66.7672   65.7333   66.5550
表４１  （単レンズデータ）
レンズ     始面     焦点距離
1         1     -106.7957
2         3       42.3212
3         5      -13.5811
4         7      -16.8380
5         9       15.1061
6        11      -50.0001
7        13       58.8471
8        16       12.2968
9        18      -17.8026
10        20      412.3168
11        22       15.1201
12        24      -16.3830
表４２  （ズームレンズ群データ）
群   始面    焦点距離  レンズ構成長    前側主点位置  後側主点位置
1      1    70.00621     8.59900         2.50589       5.13056
2      5   -16.24812     9.80440        -0.47752       1.02468
3     11   -50.00008     0.70000        -0.19394       0.04600
4     13    18.64660    22.99310         3.54125       7.43985
表４３  （ズームレンズ群倍率）
群   始面    広角       中間       望遠
1      1   -0.00705   -0.00705   -0.00705
2      5   -0.31946   -0.35684   -0.48706
3     11    0.59693    0.59507    0.57350
4     13   -1.05371   -1.66840   -2.20048
（数値実施例８）
数値実施例８のズームレンズ系は、実施の形態８（図２２）に対応する。ズームレンズ系の面データを表４４に、非球面データを表４５に、各種データを表４６に、単レンズデータを表４７に、ズームレンズ群データを表４８に、ズームレンズ群倍率を表４９に示す。
表４４  （面データ）
面番号         r           d           nd         vd                
物面             ∞                                               
1         32.11620     1.20000     1.84666    23.8               
2         23.10120     0.22160                                   
3         23.46540     6.10290     1.58913    61.3               
4       4214.89590        可変                                   
5         56.53840     0.70000     1.77250    49.6               
6          8.60270     5.02000                                   
7        290.06530     0.70000     1.77250    49.6               
8         12.60280     0.15000                                   
9         11.05880     3.17820     1.75520    27.5               
10        205.57580        可変                                   
11*       -19.22700     0.70000     1.52996    55.8               
12        -70.95300        可変                                   
13*        20.95390     1.50000     1.52996    55.8               
14         44.00760     1.50000                                   
15(絞り)           ∞     0.50000                                   
16         28.55070     3.43400     1.61868    60.4               
17         -9.75270     0.01000     1.56732    42.8               
18         -9.75270     0.70000     1.78916    34.9               
19        -26.23620     1.89710                                   
20        -21.46730     1.58040     1.52996    55.8               
21        -15.66800     8.21470                                   
22         35.36310     3.89530     1.48853    69.8               
23        -10.90940     0.30000                                   
24        -10.52300     0.80000     1.80420    46.5               
25        -45.14760      BF                                       
像面             ∞                                             
表４５  （非球面データ）
第11面
K= 0.00000E+00, A4= 9.53163E-06, A6=-1.64778E-07, A8=-1.38209E-08 
A10= 0.00000E+00 
第13面
K= 0.00000E+00, A4=-4.32525E-05, A6= 8.89835E-07, A8=-4.14632E-08 
A10= 6.63203E-10
表４６  （各種データ）
ズーム比     3.01500
広角      中間      望遠
焦点距離      14.4002   25.0043   43.4166
Ｆナンバー     3.62207   4.86315   5.53791
画角        39.7820   23.6867   13.7141
像高        10.8150   10.8150   10.8150
レンズ全長     80.9697   90.9395  109.2154
ＢＦ       22.92950  33.65847  43.90496
d4           0.4000    6.0701   16.8482 
d10          3.8580    3.4389    4.5580 
d12         11.4780    5.4678    1.6000 
入射瞳位置     18.0576   26.8051   52.9231
射出瞳位置    -17.3931  -17.3931  -17.3931
前側主点位置   27.3125   39.5476   65.4936
後側主点位置   66.5488   65.8727   65.6107
表４７  （単レンズデータ）
レンズ     始面     焦点距離
1         1     -103.5214
2         3       40.0321
3         5      -13.2188
4         7      -17.0741
5         9       15.3680
6        11      -50.0001
7        13       73.8124
8        16       12.1669
9        18      -20.0459
10        20       99.9995
11        22       17.5513
12        24      -17.2394
表４８  （ズームレンズ群データ）
群   始面    焦点距離  レンズ構成長    前側主点位置  後側主点位置
1      1    66.93217     7.52450        -0.16504       2.64745
2      5   -15.10488     9.74820        -0.09633       1.64971
3     11   -50.00010     0.70000        -0.17087       0.06945
4     13    18.55081    24.33150         4.08173       8.52972
表４９  （ズームレンズ群倍率）
群   始面    広角       中間       望遠
1      1   -0.00674   -0.00674   -0.00674
2      5   -0.32071   -0.36461   -0.49283
3     11    0.61173    0.60991    0.58800
4     13   -1.08785   -1.66620   -2.21855
以下に、各数値実施例に係るズームレンズ系について求めた各条件式の対応値を示す。
【０１０５】
表５０（条件式の対応値）
【０１０６】
【表５０】
2011203293.tif 000005
【産業上の利用可能性】
【０１０７】
本発明に係るズームレンズ系は、デジタルスチルカメラ、デジタルビデオカメラ、携帯電話機器のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラ等に適用可能であり、特にデジタルスチルカメラシステム、デジタルビデオカメラシステムといった高画質が要求される撮影光学系に好適である。
【符号の説明】
【０１０８】
１００    レンズ交換式デジタルカメラシステム
１０１    カメラ本体
１０２    撮像素子
１０４    カメラマウント部
２０１    交換レンズ装置
２０２    ズームレンズ系
【図１】
2011203293.tif 000006
【図２】
2011203293.tif 000007
【図３】
2011203293.tif 000008
【図４】
2011203293.tif 000009
【図５】
2011203293.tif 000010
【図６】
2011203293.tif 000011
【図７】
2011203293.tif 000012
【図８】
2011203293.tif 000013
【図９】
2011203293.tif 000014
【図１０】
2011203293.tif 000015
【図１１】
2011203293.tif 000016
【図１２】
2011203293.tif 000017
【図１３】
2011203293.tif 000018
【図１４】
2011203293.tif 000019
【図１５】
2011203293.tif 000020
【図１６】
2011203293.tif 000021
【図１７】
2011203293.tif 000022
【図１８】
2011203293.tif 000023
【図１９】
2011203293.tif 000024
【図２０】
2011203293.tif 000025
【図２１】
2011203293.tif 000026
【図２２】
2011203293.tif 000027
【図２３】
2011203293.tif 000028
【図２４】
2011203293.tif 000029
【図２５】
2011203293.tif 000030